(57)【要約】ＩＰ電話（ＶｏＩＰ）システム（１０）において移動ワイヤレスデバイスから発信された緊急呼をルーティングするための方法と装置とについて、本書で記述する。１つ以上の実施形態において、ＶｏＩＰシステム（１０）の中で、ワイヤレスアクセスポイント（ＷＡＰ）（１４）を通じてＶｏＩＰシステム（１０）に接続されたデュアルモード移動デバイス（１２）から発信された到来緊急呼を受信し、到来緊急呼に関連する位置を判断し、そして、発信元をセルラーネットワーク（３８）にリダイレクトすることによって、緊急呼がルーティングされる。他の実施形態において、ＶｏＩＰシステム（１０）の中で、ＷＡＰ識別子を緊急応答ポイント（ＥＡＰ）（３０）にマッピングし、発信側ＷＡＰ（１４）から到来緊急呼を受信し、発信側ＷＡＰ（１４）に関するＥＡＰ（３０）を識別し、そして識別されたＥＡＰ（３０）へ緊急呼を方向付けることによって、緊急呼がルーティングされる。
2009522927.tif 000002
【特許請求の範囲】
【請求項１】
ＩＰ電話（ＶｏＩＰ）システム（１０）において緊急呼をルーティングする方法であって、
ワイヤレスアクセスポイント（ＷＡＰ）（１４）を通じて前記ＶｏＩＰシステム（１０）に接続された移動ワイヤレスデバイスから発信された到来する緊急呼を受信する工程と、
前記移動ワイヤレスデバイスの範囲内のデバイス（４２）によって導出される位置情報を取得する工程と、
前記範囲内のデバイス（４２）から取得した前記位置情報に対応する地理的エリアにサービス提供する緊急応答ポイント（ＥＡＰ）（３０）へ前記緊急呼を導く工程と
を備えた方法。
【請求項２】
前記範囲内のデバイス（４２）によって導出される前記位置情報を取得する工程が、前記移動ワイヤレスデバイスから前記位置情報を取得する工程を備える
ことを特徴とする請求項１に記載の方法。
【請求項３】
前記範囲内のデバイス（４２）によって導出される前記位置情報を取得する工程が、
前記移動ワイヤレスデバイスを通じて前記範囲内のデバイス（４２）と通信リンクを確立する工程と、
前記通信リンクを用いて前記範囲内のデバイス（４２）から前記位置情報を取得する工程と
を備える
ことを特徴とする請求項１に記載の方法。
【請求項４】
前記範囲内のデバイス（４２）によって導出される前記位置情報を取得する工程が、
前記範囲内のデバイス（４２）に関連するデバイス識別子を受信する工程と、
前記デバイス識別子を用いて前記範囲内のデバイス（４２）に接続する工程と、
前記範囲内のデバイス（４２）に接続している間に前記範囲内のデバイス（４２）から前記位置情報を取得する工程と
を備える
ことを特徴とする請求項１に記載の方法。
【請求項５】
前記範囲内のデバイス（４２）に接続している間に前記移動ワイヤレスデバイスとの呼接続を維持する工程をさらに備えた請求項４に記載の方法。
【請求項６】
位置情報が取得できない場合には前記緊急呼をセルラーネットワーク（３８）へリダイレクトすることを開始する工程をさらに備えた請求項１に記載の方法。
【請求項７】
ＩＰ電話（ＶｏＩＰ）システム（１０）であって、ワイヤレスアクセスポイント（ＷＡＰ）（１４）を通じて前記ＶｏＩＰシステム（１０）に接続された移動ワイヤレスデバイスから発信された到来する緊急呼を受信し、前記移動ワイヤレスデバイスの範囲内のデバイス（４２）によって導出される位置情報を取得し、前記範囲内のデバイス（４２）から取得した前記位置情報に対応する地理的エリアにサービス提供する緊急応答ポイント（ＥＡＰ）（３０）へ前記緊急呼を導くように構成された呼処理サーバ（１８）を備えたＩＰ電話（ＶｏＩＰ）システム（１０）。
【請求項８】
前記呼処理サーバ（１８）が、前記移動ワイヤレスデバイスから前記位置情報を取得することによって前記範囲内のデバイス（４２）によって導出された前記位置情報を取得するように構成される
ことを特徴とする請求項７に記載のＶｏＩＰシステム（１０）。
【請求項９】
前記呼処理サーバ（１８）が、前記移動ワイヤレスデバイスを通じて前記範囲内のデバイス（４２）と通信リンクを確立し、前記通信リンクを用いて前記範囲内のデバイス（４２）から前記位置情報を取得することによって、前記範囲内のデバイス（４２）によって導出される前記位置情報を取得するように構成される
ことを特徴とする請求項７に記載のＶｏＩＰシステム（１０）。
【請求項１０】
前記呼処理サーバ（１８）が、前記範囲内のデバイス（４２）に関連するデバイス識別子を受信し、前記デバイス識別子を用いて前記範囲内デバイス（４２）に接続し、前記範囲内デバイス（４２）に接続している間に前記範囲内デバイス（４２）から前記位置情報を取得することによって、前記範囲内のデバイス（４２）によって導出される前記位置情報を取得するように構成される
ことを特徴とする請求項７に記載のＶｏＩＰシステム（１０）。
【請求項１１】
前記呼処理サーバ（１８）が、前記範囲内のデバイス（４２）に接続している間に前記移動ワイヤレスデバイスとの呼接続を維持するようにさらに構成される
ことを特徴とする請求項１０に記載のＶｏＩＰシステム（１０）。
【請求項１２】
前記呼処理サーバ（１８）が、位置情報が取得できない場合には前記緊急呼をセルラーネットワーク（３８）へリダイレクトすることを開始するようにさらに構成される
ことを特徴とする請求項７に記載のＶｏＩＰシステム（１０）。
【請求項１３】
移動ワイヤレスデバイスであって、
前記移動ワイヤレスデバイスをワイヤレスブロードバンドネットワーク（１６）に接続するように構成されたワイヤレスブロードバンド無線（３６）と、
緊急呼を発信する目的で前記ワイヤレスブロードバンドネットワーク（１６）を介してＩＰ電話（ＶｏＩＰ）システム（１０）と呼接続を確立し、位置情報を求めて１つ以上の範囲内のデバイス（４２）にクエリするように構成された通信プロセッサ（２０）と
を備えた移動ワイヤレスデバイス。
【請求項１４】
前記ＶｏＩＰシステム（１０）が前記移動ワイヤレスデバイスに１つ以上の位置インジケータを要求するのに応じて、前記通信プロセッサ（２０）が１つ以上の範囲内のデバイス（４２）に位置情報を求めてクエリするように構成されることを特徴とする、請求項１３に記載の移動ワイヤレスデバイス。
【請求項１５】
前記通信プロセッサ（２０）が、前記クエリされた範囲内のデバイス（４２）のうちの１つから取得した位置情報を、前記確立された呼接続を用いて前記ＶｏＩＰシステム（１０）に提供するようにさらに構成される
ことを特徴とする請求項１３に記載の移動ワイヤレスデバイス。
【請求項１６】
前記通信プロセッサ（２０）が、前記クエリされた範囲内のデバイス（４２）のうちの１つから取得したデバイス識別子を、前記確立された呼接続を用いて前記ＶｏＩＰシステム（１０）に提供するようにさらに構成される
ことを特徴とする請求項１３に記載の移動ワイヤレスデバイス。
【請求項１７】
前記デバイス識別子が、インターネットプロトコルアドレスと、メディアアクセス制御アドレスと、サービス集合識別子と、電話番号とのうちの１つを備える
ことを特徴とする請求項１６に記載の移動ワイヤレスデバイス。
【請求項１８】
前記通信プロセッサ（２０）が、前記範囲内のデバイス（４２）のうちの１つと通信リンクを確立し、前記確立された呼接続と通信リンクとを用いて前記ＶｏＩＰシステム（１０）と前記リンクされた範囲内のデバイス（４２）との間で情報をルーティングするようにさらに構成される
ことを特徴とする請求項１３に記載の移動ワイヤレスデバイス。
【請求項１９】
前記通信プロセッサ（２０）が、呼リダイレクト命令に応じて新規緊急呼をセルラーネットワーク（３８）へ発信するようにさらに構成される
ことを特徴とする請求項１３に記載の移動ワイヤレスデバイス。
【発明の詳細な説明】
【技術分野】
【０００１】
本発明は、セルラーネットワークとワイヤレスブロードバンドネットワークとの融合に関し、詳細には、融合されたネットワークにおける緊急呼のルーティングに関する。
【背景技術】
【０００２】
セルラーネットワークとワイヤレスブロードバンドネットワークとの融合によって、加入者は、音声とデータとのセッションがシームレスに連続した状態で、ちょうど１つのセルラーネットワーク内のセル間を加入者が移動する場合のように、ネットワーク間を移動できるようになる。ワイヤレスネットワークの融合は、二元的な無線アクセスネットワークを効果的に創造する。情報を、例えばデータまたは音声を、セルラーネットワーク上でルーティングすることが効率的である場合、移動デバイスは、通信用としてセルラーネットワークを利用する。逆に、ワイヤレスブロードバンドネットワーク上で情報をルーティングする方がより効率的である場合、移動デバイスは、通信用としてワイヤレスブロードバンドネットワークを利用する。
【０００３】
セルラーネットワークとワイヤレスブロードバンドネットワークとの融合に関する１つの問題は、緊急呼を適切な地域救急担当者にルーティングすることである。例えば、米国の連邦通信委員会（ＦＣＣ）によって発行されたＥ−９１１命令のように、各種の行政機関は、通信サービスプロバイダが携帯電話から発信された緊急呼をサポートすることを求めている。さらにＦＣＣは、近い将来、ＩＰ電話（ＶｏＩＰ）サービスプロバイダがＥ−９１１命令に従うことを求めるであろう。例えば、ＶｏＩＰプロバイダは、すべての９１１呼を顧客の地域救急オペレータに配信して、かけ直しする場合の電話番号と同社の顧客の位置情報とを地域救急オペレータに提供することを求められるであろう。
【０００４】
位置ベースのサービスは、携帯電話によって行われた緊急呼を処理する場合に発信元の位置を識別する目的で、セルラーネットワークにおいて広く使われている。例えば、全地球測位システム（ＧＰＳ）のようなデバイス中心の技術は、移動デバイスの位置を１０メートル以下の精度で精確に特定できる。符号分割多元接続（ＣＤＭＡ）、セルラーネットワークのためのアシストＧＰＳ（ＡＧＰＳ）およびグローバル・システム・フォー・モバイル・コミュニケーションズ（ＧＳＭ）のための強化観測時間差法（ＥＯＴＤ）のようなネットワーク支援技術は、移動デバイスの位置を１００メートル以下の精度で精確に特定できる。
【発明の開示】
【０００５】
しかし、ワイヤレスブロードバンドネットワークにアクセスする移動デバイスのための位置特定技術は、それほど成熟していない。さらに、ブロードバンド通信の性質、例えば、リモートデバイス間の通信のためにインターネットプロトコル（ＩＰ）ベアラを用いることなどが、発信元の位置に関するすべての情報を除去する。従って、セルラーネットワークとワイヤレスブロードバンドネットワークの融合は、デバイスがワイヤレスブロードバンドネットワーク上で通信する場合、移動ワイヤレスデバイスの位置を特定するための新たな難問を呈する。例えば、移動ワイヤレスデバイスは、セルラーネットワークからワイヤレスブロードバンドネットワークへシームレスに移行することから、デバイスは、ワイヤレスブロードバンドネットワークに接続する場合、自分の位置の判断および／または通信が最早できない可能性がある。ＶｏＩＰサービスプロバイダは、ワイヤレスブロードバンドアクセス技術を用いてＶｏＩＰサービスを提供しつつ移動デバイスのためにＥ−９１１をサポートするよう命じられた場合、特に手ごわい仕事に直面する。
【０００６】
本書で教示された方法および装置は、ＩＰ電話（ＶｏＩＰ）システムにおいて移動ワイヤレスデバイスから発信された緊急呼をルーティングする方法を提供する。一例において、方法は、ワイヤレスアクセスポイント（ＷＡＰ）を通じてＶｏＩＰシステムに接続されたデュアルモードの移動デバイスから発信された着信緊急呼を受信することと、着信緊急呼に関連する位置を判断することと、発信元をセルラーネットワークにリダイレクトすることとを備える。上記の緊急呼のルーティング方法に対応して、補完的なＶｏＩＰシステムが、ＷＡＰを通じてＶｏＩＰシステムに接続されたデュアルモードの移動デバイスから発信された着信緊急呼を受信するように構成された呼処理サーバを備える。この呼処理サーバはさらに、着信緊急呼に関連する位置を判断して、発信元をセルラーネットワークにリダイレクトするように構成される。
【０００７】
本書で記述した複数の実施形態によって、ＶｏＩＰシステムが、ＶｏＩＰシステムにアクセスする移動ワイヤレスデバイスに関連する位置情報を取得して、その取得した位置情報を使って緊急呼を適切な緊急応答ポイント（ＥＡＰ）へルーティングできるようになる。１つの例において、ＷＡＰ識別子がＥＡＰにマッピングされる。従って、着信緊急呼が発信側ＷＡＰから受信される場合、発信側ＷＡＰに関連するＥＡＰが識別されて、緊急呼は、識別されたＥＡＰへと導かれる。
【０００８】
別の例において、ＷＡＰを通じてＶｏＩＰシステムに接続された移動ワイヤレスデバイスから発信された着信緊急呼が、ＶｏＩＰシステムによって受信される。移動ワイヤレスデバイスに関連する位置情報が、移動ワイヤレスデバイスから取得され、そして、緊急呼が、移動ワイヤレスデバイスから取得した位置情報に対応する地理的エリアにサービス提供するＥＡＰへと導かれる。
【０００９】
さらに別の例において、ＷＡＰを通じてＶｏＩＰシステムに接続された移動ワイヤレスデバイスから発信された着信緊急呼が、ＶｏＩＰシステムによって受信される。移動ワイヤレスデバイスの範囲内のデバイスによって導出された位置情報が、取得される。緊急呼は、範囲内のデバイスから取得した位置情報に対応する地理的エリアにサービス提供するＥＡＰへと導かれる。
【００１０】
もちろん本発明は、上記の特徴や利点には限定されない。当業者であれば、下記の詳細記述を読んで、添付の図面を見れば、さらなる特徴や利点を理解するであろう。
【発明を実施するための最良の形態】
【００１１】
図１は、パケットベースの音声およびデータサービスを移動ワイヤレスデバイス、例えばデュアルモード移動通信デバイス１２に提供するＩＰ電話（ＶｏＩＰ）システム１０の一実施形態を図解する。デュアルモード移動デバイス１２は、ワイヤレスアクセスポイント(WAP)１４、例えばＩＥＥＥ８０２．１１(WiFi)、ＩＥＥＥ８０２．１６(WiMax)、またはＩＥＥＥ８０２．２０(Mobile Broadband Wireless Access)と互換性があるＷＡＰ、を介してＶｏＩＰシステムにアクセスする。デュアルモード移動デバイス１２は、例えばインターネットのようなパケット交換データネットワーク（ＰＳＤＮ）１６を通じて、ＶｏＩＰシステム１０に直接的または間接的に連結する。ＶｏＩＰシステム１０は、緊急呼を含めて、ＶｏＩＰシステム１０を横断するＶｏＩＰ接続を管理するための呼処理サーバ１８を備える。
【００１２】
デュアルモード移動デバイス１２とＶｏＩＰシステム１０とは、制御情報とパケットベースの通信データとを両方共伝達する。パケットベースの呼を確立して制御するため、デュアルモード移動デバイス１２とＶｏＩＰシステム１０とは、シグナリングプロトコル、例えばセッション開始プロトコル（ＳＩＰ）またはＨ．３２３を用いる。例えば、ＶｏＩＰシステム１０の呼処理サーバ１８とデュアルモード移動デバイス１２の通信プロセッサ２０とは、デュアルモード移動デバイス１２によって開始された緊急呼の処理を制御するため、例えばＪａｖａ(登録商標)のようなクライアントコードと併せてＳＩＰを用いる。
【００１３】
通信プロセッサ２０は、通信チャネルの確立および維持、呼の開始および管理、ならびに、デュアルモード移動デバイス１２の位置の取得を含めて、デュアルモード移動デバイス１２のためのネットワーク通信を管理する。通信プロセッサ２０は、ソフトウェア（またはファームウェア）として実装されたコンピュータプログラム命令に従って構成された、１つ以上の汎用または特殊用途マイクロプロセッサと、デジタル信号プロセッサと、特定用途向け集積回路と、フィールド・プログラマブル・ゲート・アレイと、および／または、他のタイプのデジタル処理回路とを備えてもよい。
【００１４】
同様に、呼処理サーバ１８は、ＶｏＩＰシステム１０のためのパケットベースの通信を管理する。呼処理サーバ１８は、ハードウェアおよび／またはソフトウェアを備え、そして、単一のサーバ、サーバ・クラスタ、あるいは機能性を分散したサーバ・ファームとして展開されてもよい。呼処理サーバ１８は、デバイス通信を管理し、各種のマッピングおよび翻訳を維持し、そして、デバイス間の通信チャネルの開放と閉鎖とを行う。例えば、呼処理サーバ１８は、ＶｏＩＰ呼シグナリングと制御機能とを提供するための呼エージェント２２を有する。呼エージェント２２は、ＶｏＩＰシステム１０にアクセスするデバイスに関連するシグナリングと制御フローとを、例えば呼を発信し、終了させ、または転送することによって、管理する。限定しない一例において、呼エージェント２２は、ＳＩＰ呼シグナリングと制御機能とを、例えばＳＩＰ要求をルーティングして転送することによって提供するためのＳＩＰサーバ（図示せず）を有してもよい。
【００１５】
さらに、呼処理サーバ１８は、呼エージェント２２によって管理されない１つ以上のアプリケーションまたはサービス、例えば音声メール、電話会議、および緊急呼の処理、を実行するためのアプリケーションサーバ２４を有する。呼処理サーバ１８は、メディアゲートウェイ制御器／メディアゲートウェイ（ＭＧＣ／ＭＧ）２６とインタフェースをとる。ＭＧＣ／ＭＧ２６は、公衆電話交換網（ＰＳＴＮ）２８とインタフェースをとるための呼制御論理およびハードウェアを有する。従って、呼処理サーバ１８は、ＭＧＣ／ＭＧ２６を介してＰＳＴＮ２８にアクセスする。
【００１６】
ＶｏＩＰシステム１０におけるパケットベースの接続を管理することの一部として、呼処理サーバ１８は、デュアルモード移動デバイス１２のような移動ワイヤレスデバイスを含めて、システム１０に接続している各種のデバイスから受信した緊急呼を処理する。ＶｏＩＰシステム１０によって受信された緊急呼は、企業独自の緊急音声呼、９１１緊急音声呼、緊急テキストメッセージ、緊急インスタントメッセージのようなものを含んでもよい。呼処理サーバ１８は、受信した緊急呼を緊急応答ポイント（ＥＡＰ）３０へ、すなわち、公益サービス応答ポイント（ＰＳＡＰ）や、適切な地域緊急機関や、他の緊急応答ポイントまたは例えばＯｎＳｔａｒといった企業独自の緊急応答ポイントのような、指定された州全体のデフォルト応答ポイントへルーティングする。緊急呼を適切なＥＡＰへルーティングするため、呼処理サーバ１８は、パケットベースの呼の位置に関連する情報、例えば、緯度、経度、高度、住所、電話番号、ビルの名前のような、地理空間上または都市内での位置情報を取得する。呼処理サーバ１８は、特定の緊急呼を受信するために適切なＥＡＰを識別する目的で、そのような位置情報を用いる。
【００１７】
ＶｏＩＰシステム１０は、ＰＳＴＮ２８、または、緊急呼および関連情報をＥＡＰ３０へルーティングできる有線のＥ９１１ネットワークまたは企業独自の緊急呼処理ネットワークのような緊急サービスネットワーク３２を経由して、緊急呼をＥＡＰ３０へルーティングする。ＰＳＴＮ２８を介して緊急呼をルーティングするため、呼処理サーバ１８は、適切なＥＡＰのアドレスを識別して、次いでＭＧＣ／ＭＧ２６を経由してＰＳＴＮ２８上でＥＡＰアドレスに呼を転送するため、呼に関連する位置情報を用いる。緊急サービスネットワーク３２を経由して呼をルーティングする場合、呼処理サーバ１８は、取得した位置情報と共に緊急呼を緊急サービスネットワーク３２へ、直接ゲートウェイ（図示せず）を介して、または間接的にＰＳＤＮ１６またはＰＳＴＮ２８を介して、転送する。緊急サービスネットワーク３２は、緊急呼に応答するため適切なＥＡＰのアドレスを識別する目的で、位置情報を用いる。
【００１８】
本書では、ＶｏＩＰシステム１０が、ＶｏＩＰシステム１０にアクセスする移動ワイヤレスデバイスに関連する位置情報を取得して、取得した位置情報を適切なＥＡＰに緊急呼をルーティングする目的で用いることができるようにする、複数の実施形態が記述される。一実施形態において、呼処理サーバ１８は、移動ワイヤレスデバイスに関連する位置情報を用いてＷＡＰをＥＡＰ３０に関連させるデータベース３４にデータを投入して管理する。特に、呼処理サーバ１８は、移動ワイヤレスデバイスに関連する位置情報を、ＷＡＰ位置の近似値として用いて、位置情報を用いて１つ以上のＥＡＰ３０を特定のＷＡＰに関連させる。こうして、ＶｏＩＰシステム１０が緊急呼を既知のＷＡＰから、すなわち、データベース内にエントリを有するＷＡＰから受信する場合、呼処理サーバ１８は、ＷＡＰに関連するＥＡＰを識別し、識別されたＥＡＰへ緊急呼をルーティングする。
【００１９】
図２は、ＷＡＰを識別して、識別されたＷＡＰに関連する位置情報をＶｏＩＰシステム１０に提供するための、処理論理の一実施形態を図解する。ＶｏＩＰシステム１０に接続する前に、移動ワイヤレスデバイスは、例えばワイヤレス・ローカル・エリア・ネットワーク（ＷＬＡＮ）にワイヤレスブロードバンドアクセスを行う（ステップ１００）。例えば、デュアルモード移動デバイス１２が、移動デバイス１２に含まれるＷＬＡＮ無線３６を用いてＷＡＰ１４を介してワイヤレスブロードバンドアクセスを行う。ＷＡＰ１４は、デュアルモード移動デバイス１２が許可されたデバイスであるかどうか判断するための、ネットワークアクセスのユーザ認証手順を実装する。
【００２０】
ワイヤレスブロードバンドネットワークへのアクセスを行った後、移動ワイヤレスデバイスは、ＶｏＩＰシステム１０にログインするかまたは別の方法でＶｏＩＰシステム１０にユーザ認証される（ステップ１０２）。ユーザ認証が完了した後、あるいは、ユーザ認証プロセスの一部として、移動ワイヤレスデバイスは、発信側ＷＡＰ、すなわち、デバイスがそれを通じてＶｏＩＰシステム１０へのアクセスを行うＷＡＰに関連する識別子をＶｏＩＰシステム１０に送信する（ステップ１０４）。例えば、デュアルモード移動デバイス１２が、発信側ＷＡＰ１４に関連する識別子を提供する。各識別子は、特定のＷＡＰ、例えば、メディアアクセス制御（ＭＡＣ）アドレス、サービス集合識別子（ＳＳＩＤ）、またはインターネットプロトコル（ＩＰ）アドレスをＶｏＩＰシステム１０に対して一意的に識別する。ＶｏＩＰシステム１０からの要求があると、あるいは自動的に、移動ワイヤレスデバイスは、移動デバイスに関連する位置情報をＶｏＩＰシステム１０に送信する（ステップ１０６）。
【００２１】
図３は、移動ワイヤレスデバイスによって提供されたＷＡＰ情報をデータベース３４にデータ投入するための処理論理の一実施形態を図解する。移動ワイヤレスデバイスが、例えば、非緊急呼の間に、ワイヤレスブロードバンド接続を介してＶｏＩＰシステム１０にアクセスする場合、デバイスは、ＶｏＩＰシステム１０にログインするかまたは別のかたちで自分自身のユーザ認証を行う（ステップ１０８）。ログインプロセスの一部として、移動ワイヤレスデバイスは、デバイスがそれを通じてＶｏＩＰシステム１０と通信するＷＡＰに関連する識別子をＶｏＩＰシステム１０に送信する。例えば、デュアルモード移動デバイス１２は、発信側ＷＡＰ１４に関連する識別子をＶｏＩＰシステム１０に提供する。
【００２２】
呼処理サーバ１８は、発信側ＷＡＰ１４がＶｏＩＰシステム１０に知られているかどうかを検証する（ステップ１１０）。発信側ＷＡＰ１４が知られている場合、呼処理サーバ１８は、着信呼を処理する（ステップ１１２）。逆に、発信側ＷＡＰ１４が知られていない場合、ＶｏＩＰシステム１０は、位置情報をデュアルモード移動デバイス１２から取得する（ステップ１１４）。取得された位置情報は、発信側ＷＡＰ１４の位置の近似値として機能する。次いでデータベース３４は、取得された位置情報を使って更新される（ステップ１１６）。特に、データベース３４は、図４に図解されるように、新たに識別されたＷＡＰに関連する位置情報に対応する地理的エリアにサービスする１つ以上のＥＡＰを使って、新たなＷＡＰ識別子をマッピングする。さらに、ＶｏＩＰシステム１０は、同じＷＡＰを通じてＶｏＩＰシステム１０にアクセスする複数の移動ワイヤレスデバイスから位置情報を取得してもよい。呼処理サーバ１８は、特定のＷＡＰの位置を精緻化するかまたは精確に特定するため、複数の取得された位置情報を用いてもよい。
【００２３】
デュアルモード移動デバイス１２は、自分の位置を各種のやり方で取得することができる。例えば、デュアルモード移動デバイス１２は、自分の位置を判断するためのＧＰＳデバイス（図示せず）を有してもよい。あるいは、デュアルモード移動デバイス１２は、自分の位置を取得するため、セルラーネットワーク３８と通信してもよい。例えば、デュアルモード移動デバイス１２の中に含まれるセルラー無線４０は、セルラーネットワーク３８への無線接続を確立することができる。いったん接続すると、デュアルモード移動デバイス１２は、例えば強化観測時間差法（ＥＯＴＤ）、アシストＧＰＳ、あるいは電波到達時間差（ＴＤＯＡ）のような、セルラーネットワークから導出される技法によって、自分の位置を取得する。さらに別の例において、デュアルモード移動デバイス１２のユーザは、例えば英数字文字をデバイス１２のキーパッドに入力することによるかまたは音声コマンドによって、位置情報をデバイスに入力する。
【００２４】
図５は、例えばデュアルモード移動デバイス１２のような移動ワイヤレスデバイスまたはＶｏＩＰシステム１０が、範囲内のデバイス４２、すなわち、デバイス間でワイヤレス接続が確立されうるほど移動ワイヤレスデバイスの十分近くにあるデバイスから位置情報を取得するような一実施形態を図解する。範囲内のデバイス４２から取得した位置情報は、デュアルモード移動デバイス１２が自分自身の位置を確定できない場合、デュアルモード移動デバイス１２の位置の近似値を求めるのに用いられてもよい。デュアルモード移動デバイス１２は、範囲内のデバイス４２から位置情報を取得してその位置情報をＶｏＩＰシステム１０に提供するかまたはＶｏＩＰシステム１０と範囲内のデバイス４２との間の接続を開始するかのいずれか一方を行う。
【００２５】
一例において、デュアルモード移動デバイス１２は、範囲内のデバイス４２から位置情報を取得してそれをＶｏＩＰ１０に提供する。従って、範囲内のデバイス４２は、ＶｏＩＰシステム１０には未知である。緊急呼の間、デュアルモード移動デバイス１２の通信プロセッサ２０とＶｏＩＰシステム１０の呼処理サーバ１８との間で、ＳＩＰシグナリング接続が確立される。加えて、ＶｏＩＰシステム１０とデュアルモード移動デバイス１２との間で、通信プロセッサ２０と呼処理サーバ１８との間の情報交換のため、メディア接続も確立される。デュアルモード移動デバイス１２の位置が知られていないかまたは近似値が求められないと判断すると、デュアルモード移動デバイス１２は、範囲内のデバイス４２の通信プロセッサ４４とのＳＩＰ接続を確立する。範囲内のデバイス４２とのＳＩＰ接続の一部として、メディア接続も確立される。次いで、デュアルモード移動デバイス１２は、範囲内のデバイス４２からの位置情報を要求する。デュアルモード移動デバイス１２は、２つのデバイス間のメディア接続を介して、範囲内のデバイス４２から位置情報を取得する。次いでデュアルモード移動デバイス１２は、デュアルモード移動デバイス１２とＶｏＩＰシステム１０との間のメディア接続を介して、位置情報をＶｏＩＰシステム１０に提供する。
【００２６】
別の限定しない一例において、呼処理サーバ１８は、範囲内のデバイス４２の通信プロセッサ４４との新たなＳＩＰ接続とメディア接続とを確立する。範囲内のデバイス４２との事前のメディア接続を用いて、デュアルモード移動デバイス１２は、範囲内のデバイス４２から、例えばＭＡＣアドレス、ＳＳＩＤ、ＩＰアドレスまたは電話番号のような、デバイス識別子を取得してもよい。次いでデュアルモード移動デバイス１２は、範囲内のデバイス４２から取得したデバイス識別子を、システム１０とデュアルモード移動デバイス１２との間の事前のメディア接続を介してＶｏＩＰシステム１０へ転送する。呼処理サーバ１８は、デバイス識別子を用いてＶｏＩＰシステム１０と範囲内のデバイス４２との間で新たなＳＩＰ接続およびメディア接続を確立する。従って、呼処理サーバ１８は、次いで、新規に確立されたメディアチャネル上で範囲内のデバイス４２からの位置情報を取得する。当業者であれば、呼処理サーバ１８が、デュアルモード移動デバイス１２との緊急呼接続を維持しながら１つ以上の範囲内のデバイス４２にコンタクトできることを、理解するであろう。
【００２７】
さらに別の限定しない一例において、呼処理サーバ１８は、デュアルモード移動デバイス１２を通じて範囲内のデバイス４２と通信する。特に、デュアルモード移動デバイス１２は、デュアルモード移動デバイス１２とＶｏＩＰシステム１０との間、および、デュアルモード移動デバイス１２と範囲内のデバイス４２との間に確立されたＳＩＰ接続およびメディア接続を用いて、ＶｏＩＰシステム１０と範囲内のデバイス４２との間で情報をルーティングするかまたは進める。すなわち、デュアルモード移動デバイス１２は、範囲内のデバイス４２とＶｏＩＰシステム１０との間の通信を確立するための中継器として機能することができる。従って、デュアルモード移動デバイス１２は、呼処理サーバ１８が範囲内のデバイス４２からの位置情報を取得するため、デュアルモード移動デバイス１２との事前の接続を使うことができるようにする、ルータまたは通過デバイスとして機能する。
【００２８】
図６は、デュアルモード移動デバイス１２がＷＡＰを介してＶｏＩＰシステム１０に緊急呼を発信するための処理論理の一実施形態を図解する。移動ワイヤレスデバイスが、ワイヤレスブロードバンド接続を介してＶｏＩＰシステム１０を使う緊急呼を開始する（ステップ２００）。例えば、デュアルモード移動デバイス１２が、ＷＡＰ１４によって確立されたワイヤレスブロードバンド接続を介して緊急呼を開始する。移動ワイヤレスデバイスは、デバイスがそれを通じてＶｏＩＰシステム１０と通信するＷＡＰに関連する識別子をＶｏＩＰシステム１０に送信する（ステップ２０２）。例えば、デュアルモード移動デバイス１２が、発信側ＷＡＰ１４に関連する識別子を提供する。
【００２９】
図７は、ＶｏＩＰシステム１０によって受信された緊急呼を、データベース３４によって提供されたＷＡＰ／ＥＡＰの関係を用いて、適切なＥＡＰにルーティングするための処理論理の一実施形態を図解する。例えば、デュアルモード移動デバイス１２が、発信側ＷＡＰ１４によってユーザ認証された後、デュアルモード移動デバイス１２は、ＷＡＰ１４によって確立されたワイヤレスブロードバンド接続を介して緊急呼を開始する（ステップ２０４）。ＶｏＩＰシステム１０は、デュアルモード移動デバイス１２から発信側ＷＡＰ１４に関連する識別子を受信する（ステップ２０６）。次いで、呼処理サーバ１８は、発信側ＷＡＰ１４に関連するＥＡＰを識別するため、デュアルモード移動デバイス１２から受信したＷＡＰ識別子を用いてデータベース３４にクエリを行うかまたはマイニングを行う（ステップ２０８）。呼処理サーバ１８は、例えばＰＳＴＮ２８または緊急サービスネットワーク３２を介して、識別されたＥＡＰへ緊急呼を導く（ステップ２１０）。
【００３０】
図８は、緊急呼の一部として自分の位置をＶｏＩＰシステム１０に提供する移動ワイヤレスデバイスによって、緊急呼をＶｏＩＰシステム１０へ発信するための処理論理の一実施形態を図解する。移動ワイヤレスデバイスは、ワイヤレスブロードバンド接続を介してＶｏＩＰシステム１０との緊急呼を開始する（ステップ３００）。例えば、デュアルモード移動デバイス１２が、ＷＡＰ１４によって確立されたワイヤレスブロードバンド接続を介して緊急呼を開始する。移動ワイヤレスデバイスは、移動ワイヤレスデバイスに関連する位置情報をＶｏＩＰシステム１０に提供する（ステップ３０２）。例えば、デュアルモード移動デバイス１２が、前に述べたように、ＧＰＳから導出されたか、セルラーネットワークから導出されたか、またはユーザから導出された位置情報を、それぞれ、ＶｏＩＰシステム１０に提供する。
【００３１】
あるいは、図９は、移動ワイヤレスデバイスの位置の近似値として範囲内のデバイスの位置をシステム１０に提供する移動ワイヤレスデバイスによって、緊急呼をＶｏＩＰシステム１０へ発信するための処理論理の一実施形態を図解する。移動ワイヤレスデバイスは、ワイヤレスブロードバンド接続を介してＶｏＩＰシステム１０との緊急呼を開始する（ステップ３０４）。移動ワイヤレスデバイスが自分自身の位置を識別できない場合、移動ワイヤレスデバイスは、範囲内のデバイスとの接続を確立する（ステップ３０６）。例えば、デュアルモード移動デバイス１２の通信プロセッサ２０が、範囲内のデバイス４２の通信プロセッサ４４とのＳＩＰ接続およびメディア接続を確立する。次いで移動ワイヤレスデバイスは、範囲内のデバイスから、それら２つのデバイス間の接続を介して位置情報を取得する（ステップ３０８）。移動ワイヤレスデバイスは、取得した範囲内のデバイスの位置情報を、ＶｏＩＰシステム１０と移動ワイヤレスデバイスとの間に確立された接続を介して、緊急呼の結果としてＶｏＩＰシステム１０に提供する（ステップ３１０）。
【００３２】
図１０は、ＶｏＩＰシステム１０が受信した緊急呼を、緊急呼を発信する移動ワイヤレスデバイスから受信した位置情報を用いて適切なＥＡＰへルーティングするための処理論理の一実施形態を図解する。例えば、デュアルモード移動デバイス１２が、発信側ＷＡＰ１４によってユーザ認証された後、デバイス１２は、ＷＡＰ１４によって確立されたワイヤレスブロードバンド接続を介して緊急呼を発信する（ステップ３１２）。
【００３３】
また、緊急呼を受信するのに加えて、ＶｏＩＰシステム１０は、デュアルモード移動デバイス１２から、デバイス１２によって取得された応答型または応答不要の位置情報も受信する（ステップ３１４）。一例では、デバイス１２は、ユーザがデバイス１２を介して緊急呼を開始した後ではあるが、デバイス１２がＶｏＩＰシステム１０に呼を発信する前に、位置情報を取得する。別の例では、デバイス１２は、デバイス１２によって前に取得されて記憶されていた位置情報を提供する。デバイス１２が自分の位置をいつ取得するかに関わらず、位置情報が、緊急呼の一部として自動的にＶｏＩＰシステム１０に提供されてもよいし、ＶｏＩＰシステム１０による要求に応じて、デバイス１２によって提供されてもよい。次いで、呼処理サーバ１８は、応答不要の位置情報に対応する地理的エリアにサービス提供するＥＡＰに、例えばＰＳＴＮ２８または緊急サービスネットワーク３２を介して、緊急呼を導く（ステップ３１６）。
【００３４】
図１１は、ＶｏＩＰシステム１０が受信した緊急呼を、緊急呼を発信する移動ワイヤレスデバイスの範囲内のデバイスから受信した位置情報を用いて適切なＥＡＰへルーティングするための処理論理の一実施形態を図解する。この特定の実施形態によると、移動ワイヤレスデバイスが、自分の位置を取得することができないけれども、位置情報を有するかまたは取得することができるデバイスの範囲内にある。緊急呼の間、呼処理サーバ１８は、範囲内のデバイスから取得した位置情報を、緊急呼を発信した移動ワイヤレスデバイスの位置の近似値として用いる。例えば、デュアルモード移動デバイス１２が、発信側ＷＡＰ１４によって確立されたワイヤレスブロードバンド接続を介して緊急呼をＶｏＩＰシステム１０へ発信することで、処理論理が「始まる」（ステップ４００）。また、緊急呼を受信するのに加えて、ＶｏＩＰシステム１０はまた、デュアルモード移動デバイス１２から範囲内のデバイス４２に関連するアドレス情報も受信し、そして、範囲内のデバイス４２との接続を確立するため、このアドレス情報を用いる（ステップ４０２）。次いでＶｏＩＰシステム１０は、システム１０と範囲内のデバイス４２との間に新規に確立された接続を介して、範囲内のデバイス４２から位置情報を取得する（ステップ４０４）。呼処理サーバ１８は、範囲内のデバイスの位置情報に対応する地理的エリアにサービス提供するＥＡＰへ、例えばＰＳＴＮ２８または緊急サービスネットワーク３２を介して、緊急呼を導く（ステップ４０６）。
【００３５】
図１２は、ＶｏＩＰシステム１０が緊急呼に関連する位置情報を取得できない場合、ＶｏＩＰシステム１０が受信した着信緊急呼をリダイレクトするための処理論理の一実施形態を図解する。デュアルモード移動デバイス１２のようなセルラー通信とワイヤレス通信が両方共可能な移動デバイスによって発信された緊急呼を、ＶｏＩＰシステム１０が受信することで、処理論理が「始まる」（ステップ５００）。緊急呼を受信すると、呼処理サーバ１８は、緊急呼に関連する位置が識別可能かどうか（ステップ５０２）、例えば本書に記述した１つ以上の実施形態によって判断する。位置が識別可能である場合、呼処理サーバ１８は、緊急呼を適切なＥＡＰへルーティングする（ステップ５０４）。
【００３６】
位置が識別可能でない場合、すなわち、呼処理サーバ１８が、その位置または、デュアルモード移動デバイス１２の近似位置を判断できない場合、緊急呼は、別のキャリアへ、例えばセルラーネットワーク３８に関連するセルラーキャリアへ、リダイレクトされる（ステップ５０６）。一例では、サーバ１８がデバイス１２の位置が識別可能でないと判断した後、呼処理サーバ１８は、呼リダイレクト命令をデュアルモード移動デバイス１２に提供し、従って、デュアルモード移動デバイス１２に緊急呼をリダイレクトするように命令する。別の例では、デュアルモード移動デバイス１２は、自分が自分の位置を取得できないと認識し、その際、呼処理サーバ１８からの命令なしで、呼をセルラーネットワーク３８へリダイレクトする。
【００３７】
通信プロセッサ２０は、デュアルモード移動デバイス１２における緊急呼のリダイレクトを管理する。デュアルモード移動デバイス１２の位置が識別可能でない場合、通信プロセッサ２０は、図１３のステップ５０８で図解するように、セルラーネットワーク３８とのセルラー通信チャネルを確立する。一例では、ＶｏＩＰシステム１０の呼処理サーバ１８は、デュアルモード移動デバイス１２に呼リダイレクト命令を提供して、セルラーネットワーク３８上でその後の緊急呼を発信することによって、通信プロセッサ２０に緊急呼を「リダイレクト」させる。別の例では、通信プロセッサ２０は、自分がデュアルモード移動デバイス１２の位置を取得できないことを認識し、その際、呼処理サーバ１８からの命令なしでデュアルモード移動デバイス１２に呼を「リダイレクト」させる、内部的な呼リダイレクト命令を生成する。
【００３８】
呼リダイレクト命令がどのように生成されるかにかかわらず、図１３のステップ５１０によって図解されるように、呼リダイレクト命令に応じてセルラーネットワーク上でその後の緊急呼を発信することによって、通信プロセッサ２０は、緊急呼を「リダイレクト」する。従って、デュアルモード移動デバイス１２の位置が識別できない場合、緊急呼は、セルラーベースのシステム（図示せず）によってサービス提供される。当業者であれば理解するであろうが、ＷＬＡＮおよびセルラー無線３６、４０が相互に実質的に干渉しない場合、通信プロセッサは、ＶｏＩＰシステム１０との呼接続を維持しながらセルラー通信チャネルを確立できる。
【００３９】
上記の諸実施形態を考慮して、本書で教示されたＶｏＩＰシステムにおける緊急呼のルーティングはＶｏＩＰシステムを提供する、例えば、移動ワイヤレスデバイスによって発信された緊急呼を移動ワイヤレスデバイスの近似位置に対応する地理的エリアにサービス提供するＥＡＰへルーティングするように構成されたシステム１０を提供するということが、理解されるべきである。また、ＶｏＩＰシステムは、ＶｏＩＰシステムが呼を適切なＥＡＰへルーティングするのに十分な位置情報を呼が有しない場合には、セルラーネットワーク上でデュアルモード移動デバイス１２から受信した緊急呼をリダイレクトするように構成される。
【００４０】
このように、本発明を特定の実施形態について記述してきたが、本発明は先の記述によっては限定されないし、また、添付の図面によっても限定されないことが、理解されるべきである。その代わり、本発明は、特許請求の範囲の請求項およびその法上の均等物によってのみ、限定される。
【００４１】
関連特許
本願は、２００６年１月３日に出願された米国仮出願第６０／７５５，９２６号および２００６年１２月８日に出願された米国出願第１１／６０８，５２３号の優先権を主張するものであり、それら全体を参照により本願に組み込む。
【図面の簡単な説明】
【００４２】
【図１】ＩＰ電話（ＶｏＩＰ）システムの一実施形態のブロック図である。
【図２】ＶｏＩＰシステムへのワイヤレスアクセスポイントを識別するための処理論理の一実施形態の論理フロー図である。
【図３】ワイヤレスアクセスポイントを緊急応答ポイントに関連させるための処理論理の一実施形態の論理フロー図である。
【図４】図１のＶｏＩＰシステムに含まれるかまたは関連するデータベースの一実施形態のブロック図である。
【図５】移動ワイヤレスデバイスの範囲内のデバイスから位置情報を取得するＶｏＩＰシステムの一実施形態のブロック図である。
【図６】緊急呼の間にワイヤレスアクセスポイント識別子をＶｏＩＰシステムに提供するための処理論理の一実施形態の論理フロー図である。
【図７】ＶｏＩＰシステム内で緊急呼をルーティングするための処理論理の一実施形態の論理フロー図である。
【図８】緊急呼の間にＶｏＩＰシステムに移動ワイヤレスデバイスの位置情報を提供するための処理論理の一実施形態の論理フロー図である。
【図９】緊急呼の間にＶｏＩＰシステムに移動ワイヤレスデバイスに関連する位置情報を提供するための処理論理の一実施形態の論理フロー図である。
【図１０】ＶｏＩＰシステム内で緊急呼をルーティングするための処理論理の別の実施形態の論理フロー図である。
【図１１】ＶｏＩＰシステム内で緊急呼をルーティングするための処理論理のさらに別の実施形態の論理フロー図である。
【図１２】セルラーネットワーク上でＶｏＩＰシステムによって受信される緊急呼をリダイレクトするための処理論理の一実施形態の論理フロー図である。
【図１３】セルラーネットワーク上でデュアルモードの移動デバイスによって緊急呼をリダイレクトするための処理論理の一実施形態の論理フロー図である。
【図１】
2009522927.tif 000003
【図２】
2009522927.tif 000004
【図３】
2009522927.tif 000005
【図４】
2009522927.tif 000006
【図５】
2009522927.tif 000007
【図６】
2009522927.tif 000008
【図７】
2009522927.tif 000009
【図８】
2009522927.tif 000010
【図９】
2009522927.tif 000011
【図１０】
2009522927.tif 000012
【図１１】
2009522927.tif 000013
【図１２】
2009522927.tif 000014
【図１３】
2009522927.tif 000015
【手続補正書】
【提出日】平成20年1月10日(2008.1.10)
【手続補正１】
【補正対象書類名】特許請求の範囲
【補正対象項目名】全文
【補正方法】変更
【補正の内容】
【特許請求の範囲】
【請求項１】
ＩＰ電話（ＶｏＩＰ）システム（１０）において緊急呼をルーティングする方法であって、
ワイヤレスアクセスポイント（ＷＡＰ）（１４）を通じて前記ＶｏＩＰシステム（１０）に接続された移動ワイヤレスデバイスから発信された到来する緊急呼を受信する工程と、
前記移動ワイヤレスデバイスを通じて範囲内のデバイス（４２）と通信リンクを確立する工程と、
前記通信リンクを用いて前記範囲内のデバイス（４２）から位置情報を取得する工程と、
前記範囲内のデバイス（４２）から取得した前記位置情報に対応する地理的エリアにサービス提供する緊急応答ポイント（ＥＡＰ）（３０）へ前記緊急呼を導く工程と
を備えた方法。
【請求項２】
前記移動ワイヤレスデバイスが、前記ＷＡＰと前記範囲内のデバイス（４２）との間の前記通信リンクにおける中継器として機能する
ことを特徴とする請求項１に記載の方法。
【請求項３】
前記範囲内のデバイス（４２）によって導出される前記位置情報を取得する工程が、
前記範囲内のデバイス（４２）に関連するデバイス識別子を受信する工程と、
前記デバイス識別子を用いて前記範囲内のデバイス（４２）に接続する工程と、
前記範囲内のデバイス（４２）に接続している間に前記範囲内のデバイス（４２）から前記位置情報を取得する工程と
を備える
ことを特徴とする請求項１に記載の方法。
【請求項４】
前記範囲内のデバイス（４２）に接続している間に前記移動ワイヤレスデバイスとの呼接続を維持する工程をさらに備えた請求項３に記載の方法。
【請求項５】
位置情報が取得できない場合には前記緊急呼をセルラーネットワーク（３８）へリダイレクトすることを開始する工程をさらに備えた請求項１に記載の方法。
【請求項６】
ＩＰ電話（ＶｏＩＰ）システム（１０）であって、ワイヤレスアクセスポイント（ＷＡＰ）（１４）を通じて前記ＶｏＩＰシステム（１０）に接続された移動ワイヤレスデバイスから発信された到来する緊急呼を受信し、前記移動ワイヤレスデバイスを通じて範囲内のデバイス（４２）と通信リンクを確立し、前記通信リンクを用いて前記範囲内のデバイス（４２）から位置情報を取得し、前記範囲内のデバイス（４２）から取得した前記位置情報に対応する地理的エリアにサービス提供する緊急応答ポイント（ＥＡＰ）（３０）へ前記緊急呼を導くように構成された呼処理サーバ（１８）を備えたＩＰ電話（ＶｏＩＰ）システム（１０）。
【請求項７】
前記呼処理サーバ（１８）が、前記移動ワイヤレスデバイスを中継器として用いて前記範囲内のデバイスと通信リンクを確立する
ことを特徴とする請求項６に記載のＶｏＩＰシステム。
【請求項８】
前記呼処理サーバ（１８）が、前記範囲内のデバイス（４２）に関連するデバイス識別子を受信し、前記デバイス識別子を用いて前記範囲内デバイス（４２）に接続し、前記範囲内デバイス（４２）に接続している間に前記範囲内デバイス（４２）から前記位置情報を取得することによって、前記範囲内のデバイス（４２）によって導出される前記位置情報を取得するように構成される
ことを特徴とする請求項６に記載のＶｏＩＰシステム（１０）。
【請求項９】
前記呼処理サーバ（１８）が、前記範囲内のデバイス（４２）に接続している間に前記移動ワイヤレスデバイスとの呼接続を維持するようにさらに構成される
ことを特徴とする請求項８に記載のＶｏＩＰシステム（１０）。
【請求項１０】
前記呼処理サーバ（１８）が、位置情報が取得できない場合には前記緊急呼をセルラーネットワーク（３８）へリダイレクトすることを開始するようにさらに構成される
ことを特徴とする請求項６に記載のＶｏＩＰシステム（１０）。
【請求項１１】
移動ワイヤレスデバイスであって、
前記移動ワイヤレスデバイスをワイヤレスブロードバンドネットワーク（１６）に接続するように構成されたワイヤレスブロードバンド無線（３６）と、
緊急呼を発信する目的で前記ワイヤレスブロードバンドネットワーク（１６）を介してＩＰ電話（ＶｏＩＰ）システム（１０）と呼接続を確立し、前記ＶｏＩＰシステム（１０）に１つ以上の範囲内のデバイス（４２）のデバイス識別子を供給するように構成された通信プロセッサ（２０）と
を備えた移動ワイヤレスデバイス。
【請求項１２】
前記デバイス識別子が、インターネットプロトコルアドレスと、メディアアクセス制御アドレスと、サービス集合識別子と、電話番号とのうちの１つを備える
ことを特徴とする請求項１１に記載の移動ワイヤレスデバイス。
【請求項１３】
前記通信プロセッサ（２０）が、呼リダイレクト命令に応じて新規緊急呼をセルラーネットワーク（３８）へ発信するようにさらに構成される
ことを特徴とする請求項１１に記載の移動ワイヤレスデバイス。
【請求項１４】
移動ワイヤレスデバイスであって、
前記移動ワイヤレスデバイスをワイヤレスブロードバンドネットワーク（１６）および範囲内に接続するように構成されたワイヤレスブロードバンド無線（３６）と、
緊急呼を発信する目的で前記ワイヤレスブロードバンドネットワーク（１６）を介してＩＰ電話（ＶｏＩＰ）システム（１０）と呼接続を確立し、範囲内のデバイス（４２）と通信を確立し、前記ＶｏＩＰシステム（１０）と前記範囲内のデバイス（４２）との通信を中継するように構成された通信プロセッサ（２０）と
を備えた移動ワイヤレスデバイス。
【請求項１５】
前記通信プロセッサ（２０）が、呼リダイレクト命令に応じて新規緊急呼をセルラーネットワーク（３８）へ発信するようにさらに構成される
ことを特徴とする請求項１４に記載の移動ワイヤレスデバイス。
【手続補正書】
【提出日】平成20年9月4日(2008.9.4)
【手続補正１】
【補正対象書類名】特許請求の範囲
【補正対象項目名】全文
【補正方法】変更
【補正の内容】
【特許請求の範囲】
【請求項１】
ＩＰ電話（ＶｏＩＰ）システム（１０）において緊急呼をルーティングする方法であって、
ワイヤレスアクセスポイント（ＷＡＰ）（１４）を通じて前記ＶｏＩＰシステム（１０）に接続された移動ワイヤレスデバイスから発信された到来する緊急呼を受信する工程と、
前記移動ワイヤレスデバイスを通じて範囲内のデバイス（４２）と通信リンクを確立する工程と、
前記通信リンクを用いて前記範囲内のデバイス（４２）から位置情報を取得する工程と、
前記範囲内のデバイス（４２）から取得した前記位置情報に対応する地理的エリアにサービス提供する緊急応答ポイント（ＥＡＰ）（３０）へ前記緊急呼を導く工程と
を備えた方法。
【請求項２】
前記移動ワイヤレスデバイスが、前記ＷＡＰと前記範囲内のデバイス（４２）との間の前記通信リンクにおける中継器として機能する
ことを特徴とする請求項１に記載の方法。
【請求項３】
前記範囲内のデバイス（４２）によって導出される前記位置情報を取得する工程が、
前記範囲内のデバイス（４２）に関連するデバイス識別子を受信する工程と、
前記デバイス識別子を用いて前記範囲内のデバイス（４２）に接続する工程と、
前記範囲内のデバイス（４２）に接続している間に前記範囲内のデバイス（４２）から前記位置情報を取得する工程と
を備える
ことを特徴とする請求項１に記載の方法。
【請求項４】
前記範囲内のデバイス（４２）に接続している間に前記移動ワイヤレスデバイスとの呼接続を維持する工程をさらに備えた請求項３に記載の方法。
【請求項５】
位置情報が取得できない場合には前記緊急呼をセルラーネットワーク（３８）へリダイレクトすることを開始する工程をさらに備えた請求項１に記載の方法。
【請求項６】
ＩＰ電話（ＶｏＩＰ）システム（１０）であって、ワイヤレスアクセスポイント（ＷＡＰ）（１４）を通じて前記ＶｏＩＰシステム（１０）に接続された移動ワイヤレスデバイスから発信された到来する緊急呼を受信し、前記移動ワイヤレスデバイスを通じて範囲内のデバイス（４２）と通信リンクを確立し、前記通信リンクを用いて前記範囲内のデバイス（４２）から位置情報を取得し、前記範囲内のデバイス（４２）から取得した前記位置情報に対応する地理的エリアにサービス提供する緊急応答ポイント（ＥＡＰ）（３０）へ前記緊急呼を導くように構成された呼処理サーバ（１８）を備えたＩＰ電話（ＶｏＩＰ）システム（１０）。
【請求項７】
前記呼処理サーバ（１８）が、前記移動ワイヤレスデバイスを中継器として用いて前記範囲内のデバイスと通信リンクを確立する
ことを特徴とする請求項６に記載のＶｏＩＰシステム。
【請求項８】
前記呼処理サーバ（１８）が、前記範囲内のデバイス（４２）に関連するデバイス識別子を受信し、前記デバイス識別子を用いて前記範囲内デバイス（４２）に接続し、前記範囲内デバイス（４２）に接続している間に前記範囲内デバイス（４２）から前記位置情報を取得することによって、前記範囲内のデバイス（４２）によって導出される前記位置情報を取得するように構成される
ことを特徴とする請求項６に記載のＶｏＩＰシステム（１０）。
【請求項９】
移動ワイヤレスデバイスであって、
前記移動ワイヤレスデバイスをワイヤレスブロードバンドネットワーク（１６）および範囲内に接続するように構成されたワイヤレスブロードバンド無線（３６）と、
緊急呼を発信する目的で前記ワイヤレスブロードバンドネットワーク（１６）を介してＩＰ電話（ＶｏＩＰ）システム（１０）と呼接続を確立し、範囲内のデバイス（４２）と通信を確立し、前記ＶｏＩＰシステム（１０）と前記範囲内のデバイス（４２）との通信を中継するように構成された通信プロセッサ（２０）と
を備えた移動ワイヤレスデバイス。
【請求項１０】
前記通信プロセッサ（２０）が、呼リダイレクト命令に応じて新規緊急呼をセルラーネットワーク（３８）へ発信するようにさらに構成される
ことを特徴とする請求項９に記載の移動ワイヤレスデバイス。
【手続補正２】
【補正対象書類名】明細書
【補正対象項目名】０００９
【補正方法】変更
【補正の内容】
【０００９】
さらに別の例において、ＷＡＰを通じてＶｏＩＰシステムに接続された移動ワイヤレスデバイスから発信された着信緊急呼が、ＶｏＩＰシステムによって受信される。移動ワイヤレスデバイスの範囲内のデバイスによって導出された位置情報が、取得される。緊急呼は、範囲内のデバイスから取得した位置情報に対応する地理的エリアにサービス提供するＥＡＰへと導かれる。
以下の詳細な説明を読み、添付の図面を見ることにより、当業者は、発明の様々な実施例が下記を含むであろうが、しかしそれらに制限されないことを認識するだろう。
（ａ）ＩＰ電話（ＶｏＩＰ）システムにおいて緊急呼をルーティングする方法であって、ワイヤレスアクセスポイント（ＷＡＰ）を通じて前記ＶｏＩＰシステムに接続された移動ワイヤレスデバイスから発信された到来する緊急呼を受信する工程と、前記移動ワイヤレスデバイスの範囲内のデバイスによって導出される位置情報を取得する工程と、前記範囲内のデバイスから取得した前記位置情報に対応する地理的エリアにサービス提供する緊急応答ポイント（ＥＡＰ）へ前記緊急呼を導く工程とを備えた方法。
（ｂ）前記範囲内のデバイスによって導出される前記位置情報を取得する工程が、前記移動ワイヤレスデバイスから前記位置情報を取得する工程を備えることを特徴とする（ａ）に記載の方法。
（ｃ）前記範囲内のデバイスによって導出される前記位置情報を取得する工程が、前記移動ワイヤレスデバイスを通じて前記範囲内のデバイスと通信リンクを確立する工程と、前記通信リンクを用いて前記範囲内のデバイスから前記位置情報を取得する工程とを備えることを特徴とする（ａ）に記載の方法。
（ｄ）前記範囲内のデバイスによって導出される前記位置情報を取得する工程が、前記範囲内のデバイスに関連するデバイス識別子を受信する工程と、前記デバイス識別子を用いて前記範囲内のデバイスに接続する工程と、前記範囲内のデバイスに接続している間に前記範囲内のデバイスから前記位置情報を取得する工程とを備えることを特徴とする（ａ）に記載の方法。
（ｅ）前記範囲内のデバイスに接続している間に前記移動ワイヤレスデバイスとの呼接続を維持する工程をさらに備えた（ｄ）に記載の方法。
（ｆ）位置情報が取得できない場合には前記緊急呼をセルラーネットワークへリダイレクトすることを開始する工程をさらに備えた（ａ）に記載の方法。
（ｇ）ＩＰ電話（ＶｏＩＰ）システムであって、ワイヤレスアクセスポイント（ＷＡＰ）を通じて前記ＶｏＩＰシステムに接続された移動ワイヤレスデバイスから発信された到来する緊急呼を受信し、前記移動ワイヤレスデバイスの範囲内のデバイスによって導出される位置情報を取得し、前記範囲内のデバイスから取得した前記位置情報に対応する地理的エリアにサービス提供する緊急応答ポイント（ＥＡＰ）へ前記緊急呼を導くように構成された呼処理サーバを備えたＩＰ電話（ＶｏＩＰ）システム。
（ｈ）前記呼処理サーバが、前記移動ワイヤレスデバイスから前記位置情報を取得することによって前記範囲内のデバイスによって導出された前記位置情報を取得するように構成されることを特徴とする（ｇ）に記載のＶｏＩＰシステム。
（ｉ）前記呼処理サーバが、前記移動ワイヤレスデバイスを通じて前記範囲内のデバイスと通信リンクを確立し、前記通信リンクを用いて前記範囲内のデバイスから前記位置情報を取得することによって、前記範囲内のデバイスによって導出される前記位置情報を取得するように構成されることを特徴とする（ｇ）に記載のＶｏＩＰシステム。
（ｊ）前記呼処理サーバが、前記範囲内のデバイスに関連するデバイス識別子を受信し、前記デバイス識別子を用いて前記範囲内デバイスに接続し、前記範囲内デバイスに接続している間に前記範囲内デバイスから前記位置情報を取得することによって、前記範囲内のデバイスによって導出される前記位置情報を取得するように構成されることを特徴とする（ｇ）に記載のＶｏＩＰシステム。
（ｋ）前記呼処理サーバが、前記範囲内のデバイスに接続している間に前記移動ワイヤレスデバイスとの呼接続を維持するようにさらに構成されることを特徴とする（ｊ）に記載のＶｏＩＰシステム。
（ｌ）前記呼処理サーバが、位置情報が取得できない場合には前記緊急呼をセルラーネットワークへリダイレクトすることを開始するようにさらに構成されることを特徴とする（ｇ）に記載ののＶｏＩＰシステム。
（ｍ）移動ワイヤレスデバイスであって、前記移動ワイヤレスデバイスをワイヤレスブロードバンドネットワークに接続するように構成されたワイヤレスブロードバンド無線と、緊急呼を発信する目的で前記ワイヤレスブロードバンドネットワークを介してＩＰ電話（ＶｏＩＰ）システムと呼接続を確立し、位置情報を求めて１つ以上の範囲内のデバイスにクエリするように構成された通信プロセッサとを備えた移動ワイヤレスデバイス。
（ｎ）前記ＶｏＩＰシステムが前記移動ワイヤレスデバイスに１つ以上の位置インジケータを要求するのに応じて、前記通信プロセッサが１つ以上の範囲内のデバイスに位置情報を求めてクエリするように構成されることを特徴とする（ｍ）に記載の移動ワイヤレスデバイス。
（ｏ）前記通信プロセッサが、前記クエリされた範囲内のデバイスのうちの１つから取得した位置情報を、前記確立された呼接続を用いて前記ＶｏＩＰシステムに提供するようにさらに構成されることを特徴とする（ｍ）に記載の移動ワイヤレスデバイス。
（ｐ）前記通信プロセッサが、前記クエリされた範囲内のデバイスのうちの１つから取得したデバイス識別子を、前記確立された呼接続を用いて前記ＶｏＩＰシステムに提供するようにさらに構成されることを特徴とする（ｍ）に記載の移動ワイヤレスデバイス。
（ｑ）前記デバイス識別子が、インターネットプロトコルアドレスと、メディアアクセス制御アドレスと、サービス集合識別子と、電話番号とのうちの１つを備えることを特徴とする（ｐ）に記載の移動ワイヤレスデバイス。
（ｒ）前記通信プロセッサが、前記範囲内のデバイスのうちの１つと通信リンクを確立し、前記確立された呼接続と通信リンクとを用いて前記ＶｏＩＰシステムと前記リンクされた範囲内のデバイスとの間で情報をルーティングするようにさらに構成されることを特徴とする（ｍ）に記載の移動ワイヤレスデバイス。
（ｓ）前記通信プロセッサが、呼リダイレクト命令に応じて新規緊急呼をセルラーネットワークへ発信するようにさらに構成されることを特徴とする（ｍ）に記載の移動ワイヤレスデバイス。
【国際調査報告】
2009522927.tif 000016
2009522927.tif 000017
2009522927.tif 000018